【事件の表示】
　特願２０００−３７６２６８「パチンコ遊技機」拒絶査定不服審判事件〔平成１３年７月１７日出願公開、特開２００１−１９０８０５〕について、次のとおり審決する。
【結　論】
　本件審判の請求は、成り立たない。
【理　由】
１．手続の経緯・本願発明
　本願は、平成９年２月１７日を出願日とする特願平９−０４９８０２号（以下、「原出願」という。）の一部を、平成１２年１２月１１日に新たな特許出願としたものであって、その請求項１に係る発明（以下、「本願発明」という。）は、平成１７年６月２７日付けの手続補正書によって補正された明細書の特許請求の範囲の請求項１に記載された事項により特定される、以下のとおりのものである。
「　遊技機本体の裏面側に遊技機内容の中枢的制御を行う主制御基板が賞品球払出機構部より離れた位置に取り付けられると共に、前記主制御基板からの指令により前記賞品球払出機構部の賞品球払出動作を制御する賞品球払出制御基板が該賞品球払出機構部より離れたかつ前記主制御基板に接近して同じく遊技機本体の裏面側に取り付けられ、該賞品球払出制御基板が収容される基板ボックスの収容壁で囲まれた凹窪み内にはその制御に関わる動作異常が発生した場合にその旨を表示するエラー表示部と、該エラー表示部を初期状態に復帰リセットさせるエラー表示リセットボタンとが前記凹窪み内に露出された状態で、かつ前記エラー表示部及びエラー表示リセットボタンへの意に反する作用の実現が防止される状態で収容されていることを特徴とするパチンコ遊技機。」
　
２．引用文献
　原査定の拒絶の理由に引用された特開平５−３０５１７３号公報（以下、「引用文献１」という。）には、図面とともに、
【００２０】・・・遊技領域２に配設されている可変入賞球装置４や可変表示装置３はゲーム制御用基板ボックス１０６内に設けられているゲーム制御用基板１０７により制御される。パチンコ玉が入賞領域や入賞球装置に入賞した場合には、その入賞球が入賞球処理器１２０により処理され、１個の入賞球につき所定個数の景品玉が払出される。その景品玉は、玉払出器１１９が作動することにより玉タンク内のパチンコ玉をタンクレールを通して打球供給皿１５２（図１参照）内に払出す。この玉払出器１１９は払出制御基板ボックス１１５内の払出集中制御基板１１６により制御される。払出集中制御基板１１６と玉払出器１１９とは配線１１４、中継端子基板１１１を介して接続されている。一方、ゲーム制御用基板１０７と払出集中制御基板１１６とは、配線１１２、中継端子基板１１１、配線１１４を介して接続されている。
【００２３】前記入賞球処理器１２０により処理され検出された入賞球検出信号は払出集中制御基板１１６を通ってゲーム制御用基板１０７に入力される。ゲーム制御用基板１０７では入賞球信号に応じた景品玉払出個数が記憶されており、その景品玉払出個数を指令する賞球個数信号が払出集中制御基板１１６側に送信され、その送信されてきた賞球個数信号に相当する個数の景品玉を払出すための制御信号が払出集中制御基板１１６から玉払出器１１９に伝送される。・・・
【００２４】払出制御基板ボックス１１５には、エラー原因表示器１１７が設けられており、玉払出器１１９によるパチンコ玉の払出に異常が生じた場合にその異常原因の種類を表示できるように構成されている。そして発生した異常を遊技場の係員が修復した場合にはリセットボタン１１８を操作し、玉払出制御用のプログラムをリセットする。・・・
との記載が認められる。
　
　また、摘記した上記の記載やパチンコ遊技機の背面図である図２の記載からみて、以下のことが認定できる。
「ゲーム制御用基板１０７は、パチンコ遊技機本体の背面側に玉払出器１１９より離れた位置に取り付けられると共に、払出集中制御基板１１６は、前記玉払出器１１９より離れたかつ前記ゲーム制御用基板１０７に接近して同じくパチンコ遊技機本体の背面側に取り付けられていること。」
　
　摘記した上記の記載及び認定によれば、引用文献１には、
「　パチンコ遊技機本体の背面側に可変入賞球装置４や可変表示装置３を制御するゲーム制御用基板１０７が玉払出器１１９より離れた位置に取り付けられると共に、
　前記ゲーム制御用基板１０７から送信される景品玉払出個数を指令する賞球個数信号に相当する個数の景品玉を払出すための制御信号を前記玉払出器１１９に伝送する払出集中制御基板１１６が前記玉払出器１１９より離れたかつ前記ゲーム制御用基板１０７に接近して同じくパチンコ遊技機本体の背面側に取り付けられ、
　前記払出集中制御基板１１６を内部に有する払出制御基板ボックス１１５には、パチンコ玉の払出に異常が生じた場合にその異常原因の種類を表示するエラー原因表示器１１７と、玉払出制御用のプログラムをリセットするリセットボタン１１８とが設けられているパチンコ遊技機。」
の発明（以下「引用発明」という。）が開示されていると認めることができる。
　
３．対比
　そこで、本願発明と引用発明とを比較すると、引用発明の「パチンコ遊技機本体」は、本願発明の「遊技機本体」に相当し、以下同様に、
「背面側」は「裏面側」に、
「可変入賞球装置４や可変表示装置３を制御するゲーム制御用基板１０７」は「遊技機内容の中枢的制御を行う主制御基板」に、
「玉払出器１１９」は「賞品球払出機構部」に、
「ゲーム制御用基板１０７から送信される景品玉払出個数を指令する賞球個数信号」は「主制御基板からの指令」に、
「賞球個数信号に相当する個数の景品玉を払出すための制御信号を前記玉払出器１１９に伝送する払出集中制御基板１１６」は「指令により前記賞品球払出機構部の賞品球払出動作を制御する賞品球払出制御基板」に、
「前記払出集中制御基板１１６を内部に有する払出制御基板ボックス１１５」は「該賞品球払出制御基板が収容される基板ボックス」に、
「パチンコ玉の払出に異常が生じた場合にその異常原因の種類を表示するエラー原因表示器１１７」は「その制御に関わる動作異常が発生した場合にその旨を表示するエラー表示部」に、
「玉払出制御用のプログラムをリセットするリセットボタン１１８」は「該エラー表示部を初期状態に復帰リセットさせるエラー表示リセットボタン」に、それぞれ相当する。
　そして、エラー原因表示器１１７とリセットボタン１１８が、払出制御基板ボックス１１５に露出された状態で設けられていることは、図２からみて明らかであるから、本願発明と引用発明は、基板ボックスにエラー表示部とエラー表示リセットボタンとが露出された状態で設けられている点では共通している。
　
　以上を総合すると、両者は、
「　遊技機本体の裏面側に遊技機内容の中枢的制御を行う主制御基板が賞品球払出機構部より離れた位置に取り付けられると共に、前記主制御基板からの指令により前記賞品球払出機構部の賞品球払出動作を制御する賞品球払出制御基板が該賞品球払出機構部より離れたかつ前記主制御基板に接近して同じく遊技機本体の裏面側に取り付けられ、該賞品球払出制御基板が収容される基板ボックスにはその制御に関わる動作異常が発生した場合にその旨を表示するエラー表示部と、該エラー表示部を初期状態に復帰リセットさせるエラー表示リセットボタンとが露出された状態で設けられているパチンコ遊技機。」
の点で一致し、以下の点で相違している。
　
［相違点１］本願発明は、基板ボックスの収容壁で囲まれた凹窪みを有し、エラー表示部とエラー表示リセットボタンとが前記凹窪み内に露出された状態で、かつ前記エラー表示部及びエラー表示リセットボタンへの意に反する作用の実現が防止される状態で収容されているのに対し、引用発明のエラー原因表示器１１７とリセットボタン１１８は、払出制御基板ボックス１１５に露出された状態で設けられてはいるものの、払出制御基板ボックス１１５の収容壁で囲まれた凹窪み内に意に反する作用の実現が防止される状態で収容されているかどうか明らかでない点。
　
４．判断
［相違点１について］
　遊技機において、「誤操作防止」を目的として、表示部に近接して設けられる操作ボタンを、凹窪み内に露出された状態で収容することは、例えば、文献２：特開平８−２６６７３３号公報（特に、段落０００６、００２９〜００３２及び図１２を参照）、文献３：特開平４−２１８１９２号公報（特に、段落０００５、００１５〜００１７及び図１、４を参照）及び文献４：特開平５−０８１９５９号公報（特に、段落０００８、００１６〜００１８及び図１を参照）に記載されているように、従来周知の技術である。
　なお、文献２、４に記載されたものにおいては、操作ボタンの上に保護板１０６や押圧シート１０を設けているが、これらは操作ボタンの押圧を妨げるものではないので、実質的に操作ボタンは凹窪み内に露出された状態で収容されているものと認められる。
　また、遊技機において、表示器と操作ボタンを周囲より窪んだ場所に収容することも、上記文献２、文献５：特開平５−０９６０５６号公報（特に、段落００３９及び図９を参照）及び文献６：特開平３−０３９１８３号公報（特に、第９頁左下欄第１行〜同頁右下欄第２行及び第９図を参照）に記載されているように、従来周知の技術的事項にすぎない。
　そして、本願明細書の段落００１１の「復帰作業中に気付かないうちに遊技者によって不正にエラー表示リセットボタンが押され、・・・といったことが回避される」の記載における「気付かないうちに」は、段落００３８における「操作部防護用窪み・・・を設けて、パチンコ機制御回路の誤作動を排除する」の記載等を参酌すれば、「操作しようとしていないのに誤って」のことであると解されるので、本願発明における「意に反する作用の実現が防止される」とは、「操作しようとしていないのに誤ってエラー表示リセットボタンが押されてしまうことが防止される」ことであると認められる。
　そうしてみると、従来周知の技術における「誤操作防止」と、本願発明における「意に反する作用の実現が防止される」ことは、実質的に同じことを意味している。
　したがって、引用発明において、払出制御基板ボックス１１５の表面に凹窪みを設けるとともに、エラー原因表示器１１７とリセットボタン１１８を該凹窪み内に露出された状態で収容し、それらへの「意に反する作用の実現が防止される」ようにして、本願発明のような構成とすることは、パチンコ遊技機の分野における通常の知識を有する者（以下、「当業者」という。）にとって格別創意工夫を要することではない。
　
　さらに、本願発明の作用効果も、引用発明及び従来周知の技術から当業者が予測できる範囲のものである。
　よって、本願発明は、引用発明及び従来周知の技術に基づいて、当業者が容易に発明をすることができたものであるから、特許法第２９条第２項の規定により特許を受けることができないものである。
　
　なお、請求人は、審判請求書において、
「　しかしながら、本願発明は、
ア．・・・
イ．その凹窪み内に収容されるエラー表示リセットボタンは意に反する作用が実現されない状態で収容されていること、つまり指先で操作できない程度に凹窪み穴は狭いこと
　を必須の構成要件としていますが、この引用文献１の構成は、エラー表示ボタン１１８が露出された状態で払出制御基板ボックス１１５に設けられているようにはみえるものの、意に反する作用が実現されない状態で設けられているとは見れませんし、本願発明のように遊技者による不正操作を回避するという技術思想は何ら示唆されるものではありません。」
と主張している。
　しかし、請求項１には、「指先で操作できない程度に凹窪み穴は狭いこと」に関する構成が記載されているとは言えないし、「遊技者による不正操作」についての説明は、原出願の願書に最初に添付した明細書には記載されておらず、同明細書の段落００３８において、「リセットボタンへの意に反する作用が実現されない」及び「操作部防護用窪み（若しくは防護用の立て壁）を設けて、パチンコ機制御回路の誤作動を排除する」という説明がされているにすぎないので、本願発明は「遊技者の故意による不正操作の回避」を目的としたものということはできない。
　よって、上記請求人の主張は、特許請求の範囲及び明細書の記載に基づくものではない。
　
５．むすび
　以上のとおり、本願発明は、引用発明及び従来周知の技術に基づいて、当業者が容易に発明をすることができたものであるから、特許法第２９条第２項の規定により特許を受けることができない。
　よって、結論のとおり審決する。